(57)【要約】【課題】段差、隙間などが殆ど目立つことなく均一で平滑なスクリーン面が得られるとともに、熟練を要することなく効率的に施工できるスクリーン壁を提供する。【解決手段】プロジェクターからの映像光を映し出す映写スクリーンを壁表面に一体に設けたスクリーン壁であって、横長矩形状の基板の表面にスクリーンシートが被着された複数枚のスクリーンパネルを、壁下地に対し上下に隙間なく固着して構成され、前記基板は、上端面の少なくとも前面に臨む領域に、後方に向いて傾く上の傾斜面が形成されるともに、下端面の少なくとも前面に臨む領域に、前方に向いて傾く下の傾斜面が形成され、しかも前記スクリーンシートの上、下端部は、各々前記上の傾斜面、及び下の傾斜面にまでのびて被着され、上、下に隣接するスクリーンパネルの下の傾斜面と相方の上の傾斜面とは、下の傾斜面及び上の傾斜面にのびるスクリーンシートを挟着しつつ圧接されることを特徴とする。【選択図】図１
2007286179.tif 000002
【特許請求の範囲】
【請求項１】
プロジェクターからの映像光を映し出す映写スクリーンを壁表面に一体に設けたスクリーン壁であって、  横長矩形状の基板の表面にスクリーンシートが被着された複数枚のスクリーンパネルを、壁下地に対し上下に隙間なく固着して構成され、
前記基板は、上端面の少なくとも前面に臨む領域に、後方に向いて傾く上の傾斜面が形成されるともに、下端面の少なくとも前面に臨む領域に、前方に向いて傾く下の傾斜面が形成され、
しかも前記スクリーンシートの上、下端部は、各々前記上の傾斜面、及び下の傾斜面にまでのびて被着され、
上、下に隣接するスクリーンパネルの下の傾斜面と、相方の上の傾斜面とは、下の傾斜面及び上の傾斜面にのびるスクリーンシートを挟着しつつ圧接されることを特徴とするスクリーン壁。
【請求項２】
上の傾斜面、及び下の傾斜面は、水平面に対して３０〜７５度の傾きで形成されることを特徴とする請求項１記載のスクリーン壁。
【請求項３】
前記基板は、上の傾斜面の下端部から前方に向いて上にのびて、上の傾斜面とともに略Ｖ字状の上溝を形成する上の基準面を有し、かつ下の傾斜面の下端部から後方に向いて上にのびて、下の傾斜面とともに楔状の下凸部を形成する下の基準面を有し、
しかも前記上、下の基準面は、基板表面から同寸法の奥行き位置に形成され、
前記上、下の傾斜面が圧接される際、前記上溝と下凸部とが嵌合することを特徴とする請求項１又は２記載のスクリーン壁。
【発明の詳細な説明】
【技術分野】
【０００１】
本発明は、ホームシアター、プレゼンテーションなどのにおいて、プロジェクターからの映像光を壁面に映し出すことのできるスクリーン壁に関する。
【背景技術】
【０００２】
従来、壁面に向かって映像を映し出す際には、図６に示すように、シート状のスクリーンａを引き出し、巻き取り可能に収容した横長ボックス状のケースｂを壁上部の天井との交差部に取り付け、映写時にスクリーンａを壁ｅの前に引き出して使用するスクリーン装置ｄが提案されている（例えば、特許文献１参照）。
【０００３】
【特許文献１】実開平６−５５１４８号公報
【発明の開示】
【発明が解決しようとする課題】
【０００４】
しかしながら、長期間ケースｂ内に収容されたスクリーンａには巻き癖がつきやすいことから映像に歪みを生じるとともに、エアコンの送風或いは窓からの風を受けると、スクリーンａ全体が揺動することから、映像も揺れて鑑賞の妨げとなる。
【０００５】
そこで、間柱、胴縁などに石膏ボード、合板などの板材を固着して形成される壁下地にスクリーンシートを貼着してスクリーンを壁面と一体に構成することが考えられる。しかしながら、現場施工での仕上げ精度には限界があることから、スクリーン表面に生じる反り、段差などの変形を抑えることは困難である。更にはスクリーンシートは、定尺サイズで生産されることから、特に大型スクリーンを構成する際には、複数の継目が生まれるため、その継目で段差、隙間を生じ易い。しかも極力綺麗な仕上げを行なうためには、施工性が低下するとともに、微妙な調整を行なうために熟練が必要であった。
【０００６】
本発明は、上、下に隣接するスクリーンパネルの下の傾斜面と、相方の上の傾斜面とは、下の傾斜面及び上の傾斜面にのびるスクリーンシートを挟着しつつ圧接されることを基本とし、段差、隙間などが殆ど目立つことなく均一で平滑なスクリーン面が得られるとともに、熟練を要することなく効率的に施工できるスクリーン壁の提供を課題としている。
【課題を解決するための手段】
【０００７】
前記目的を達成するために、請求項１に係る発明では、プロジェクターからの映像光を映し出す映写スクリーンを壁表面に一体に設けたスクリーン壁であって、横長矩形状の基板の表面にスクリーンシートが被着された複数枚のスクリーンパネルを、壁下地に対し上下に隙間なく固着して構成され、前記基板は、上端面の少なくとも前面に臨む領域に、後方に向いて傾く上の傾斜面が形成されるともに、下端面の少なくとも前面に臨む領域に、前方に向いて傾く下の傾斜面が形成され、しかも前記スクリーンシートの上、下端部は、各々前記上の傾斜面、及び下の傾斜面にまでのびて被着され、上、下に隣接するスクリーンパネルの下の傾斜面と、相方の上の傾斜面とは、下の傾斜面及び上の傾斜面にのびるスクリーンシートを挟着しつつ圧接されることを特徴とする。
【０００８】
請求項２に係る発明では、上の傾斜面、及び下の傾斜面は、水平面に対して３０〜７５度の傾きで形成され、請求項３に係る発明において、前記基板は、上の傾斜面の下端部から前方に向いて上にのびて、上の傾斜面とともに略Ｖ字状の上溝を形成する上の基準面を有し、かつ下の傾斜面の下端部から後方に向いて上にのびて、下の傾斜面とともに楔状の下凸部を形成する下の基準面を有し、しかも前記上、下の基準面は、基板表面から同寸法の奥行き位置に形成され、前記上、下の傾斜面が圧接される際、前記上溝と下凸部とが嵌合することを特徴とする。
【発明の効果】
【０００９】
請求項１に係る発明においては、スクリーンパネルは、横長矩形状に形成されるとともに、壁下地に対し上下に隙間なく固着してスクリーン壁を形成していることから、映像の観者が左右何れの方向からスクリーンを見る場合でも、パネル間の隙間は、視線に対して一定の角度をなして同じ状態で見えるため、視線の方向違いによる見え方の違和感を生じることがない。しかも、上下のスクリーンパネル間の接続部においては、上方のスクリーンパネルの下の傾斜面に対して、下方のスクリーンパネルの上の傾斜面が重なる状態で接合される。従って、通常床面に座って低い姿勢によって、下から見上げる状態で鑑賞する観者の上向きの視線によっては、上下の接続部の隙間、影などが殆ど識別することができないため、連続した綺麗な映写スクリーンが構成されて美しい映像を観ることができる。  
【００１０】
スクリーンシートの上、下端部は、各々スクリーンパネルの上の傾斜面、下の傾斜面にまで各々がのびて被着されるとともに、圧接される上、下の傾斜面間で挟着される。そのため、スクリーンパネルの上の傾斜面、及び下の傾斜面の前端縁で折れ曲がって前面へと連続するスクリーンシートの折れ曲がり部分において、皺などの不規則な変形を生じることなく、整一に綺麗に連続することから、接続部に影などを生じることなく連続面が形成されて、目障りのない綺麗な映像を鑑賞することができる。
【００１１】
請求項２に係る発明では、上の傾斜面、及び下の傾斜面を、水平面に対して３０〜７５度の傾きで形成すると、上下に連続するスクリーンパネルの接合部において、下の傾斜面、及び上の傾斜面へのびるスクリーンシートが滑らからに連続する。そのため、亀裂を生じないことは勿論のこと、折り曲げ線が見え難いことから、上下のスクリーンパネルの接続部においても一体に連続したスクリーンが構成され、綺麗な映像が得られる。
【００１２】
請求項３に係る発明では、前記上、下の傾斜面が圧接される際、スクリーンパネルの上端に形成されたＶ字状の上溝と、下端に形成された楔状の下凸部とが嵌合すると、上下のスクリーンパネルを上下方向に押し付けあうことにより、上、下の傾斜面が位置ずれすることなく、簡単に圧接されて、綺麗に接合することができる。しかも、上溝を形成する上の基準面と下凸部を形成する下の基準面とは基板表面から同寸法の奥行き位置に形成されることから、前記圧接により上下に続くスクリーンパネルの表面が面一に位置決めされるため、段差を生じることなく連続した綺麗なスクリーン面が形成される。しかもその位置合わせの作業は、上下のスクリーンパネルを適度に押し付けるだけであるため、施工性に優れるとともに熟練を要しない。
【発明を実施するための最良の形態】
【００１３】
以下、本発明の実施の一形態を、図示例とともに説明する。図１に示すように、スクリーン壁１は、プロジェクターからの映像光を映し出す映写スクリーン２をリビングルーム、会議室、展示室などの部屋の壁表面に一体に設けたものである。この他、映像による展示パネル用に、独立した壁面として構成する場合もある。またスクリーン壁１は、複数枚のスクリーンパネル５を壁下地１２に対して隙間なく固着することにより構成される。
【００１４】
スクリーン壁１を、建物の壁面の一部分に設ける場合、前記壁下地１２は一般の壁部分の壁下地材と同様に構成され、例えば間柱、胴縁、或いはこれらの上に、石膏ボード、合板などの面材を取り付けることにより構成される。本形態では、図２に示すように、石膏ボードからなる面材２１を壁下地１２として図示している。
【００１５】
この壁下地１２に固着されるスクリーンパネル５は、図３に示すように、横長矩形状の基板３と、その表面に被着したスクリーンシート４とからなる。前記基板３は、少なくとも前面が高精度の平滑性を有して仕上げされたフラット面を有し、上下端部には、各々同形状で縦断面が斜めＺ字状をなす段部が形成される。
【００１６】
即ち、基板３の上端面においては、後方に向いて傾くとともに、前面側から厚さ方向に対して略半分の位置まで連続する上の傾斜面６と、この上の傾斜面６の後端部から上方へ折れ曲がり前方に向いて垂直に立ち上がる上の基準面９と、この上の基準面９の上端部から後方へ折れ曲がるとともに前記上の傾斜面６と同傾斜角度で後方に向いて傾き、かつ背面側までのびる上の基傾斜面２３とが連続して形成される。他方基板３の下端面には、前面側から前方に向いて傾くとともに、前面側から厚さ方向に対して略半分の位置まで連続する下の傾斜面７と、この下の傾斜面７の後端部から上方へ折れ曲がり後方に向いて垂直に立ち上がる下の基準面１１と、この下の基準面１１の上端部から後方へ折れ曲がるとともに前記下の傾斜面７と同傾斜角度で前方に向いて傾き、かつ背面側までのびる下の基傾斜面２４とが連続して形成される。
【００１７】
しかして本形態の基板３では、その上部において、上の傾斜面６と上の基準面９とで略Ｖ字状の上溝８が形成され、下部においては、下の傾斜面７と下の基準面１１とで楔状の下凸部１０が形成される。
【００１８】
また前記上の傾斜面６と、下の傾斜面７とは水平面に対して同じ傾きαで形成される。そしてこのαは、例えば３０〜７５度程度、好ましくは４０〜６５度の角度に設定される。３０度未満では、上下のスクリーンパネル５の接続部分に、継ぎ目が視認できるようになり、逆に７５度を超えると、基板３自体の加工、基板３に対するスクリーンシート４の貼着などの作業性が低下するとともに、上、下の傾斜面６、７の端部が尖鋭となるためスクリーンシート４が破損し易くなる。また上の基準面９と、下の基準面１１とは基板３の表面から同寸法の奥行き位置、本形態では厚さ方向の中央位置に形成される。
【００１９】
前記基板３は、縦寸法が３００〜６００ｍｍ程度、横寸法が６００〜１８００ｍｍ程度、厚さが７〜３０ｍｍ程度の外形寸法に形成される。また基板３は、杉、松、樅、栂などの針葉樹、およびナラ、チーク、ラワンなどの広葉樹を含む無垢木材、合板、パーティクルボード、インシュレーションボード、ＭＤＦ（中密度繊維板）などの木質加工板材のほか、リサイクル木粉にポリプロピレン樹脂、ポリエチレン樹脂などを配合して押出、射出成形した人工木材を用いて形成される。或いは、これら木質材料のほか、ポリエチレン樹脂、ポリプロピレン樹脂、ポリスチレン樹脂、フェノール樹脂、不飽和ポリエステル樹脂などのプラスチック材料を用いることもできる。
【００２０】
前記スクリーンシート４は、映像光を受けて鮮明な映像を映し出すことのできる特別なシート材であり、使用条件、環境などにより各種特性のものが使用される。例えば、外光や照明光、室内の反射光などがスクリーンに差し込まないよう制御された映写環境で使用する場合には、すべての方向に対して偏りなく拡散できるホワイトマットスクリーンタイプを使用すると、クリアな映像が得られる。或いは、明るい環境下で静止画などを確認する場合には、シルバー・パールスクリーンを好適に採用できる。
【００２１】
スクリーンシート４は、前記基板３の前面に被着され、その上端縁が基板３の上の傾斜面６に被着されるとともに、下端縁が基板３の下の傾斜面７に被着される。なお本形態のスクリーンシート４の両側端部は、基板３と整一に切断されるとともに、図２に示すように、見切り縁材２２を添設することによって、端面が覆われる。なおスクリーンシート４を基板３に被着する際には、酢酸ビニルエマルジョン系、合成ゴム系、ニトリルゴム系、エポキシ樹脂系、シアノアクリレート系、塩化ビニル系などの接着剤の中から、双方の使用材料に適合したものが選択されて用いられる。
【００２２】
このように構成したスクリーンパネル５は、図１、４に示すように、複数枚が前記壁下地１２に、上下に隙間なく並べて固着される。この際には、前記と同様の接着剤を用いて壁下地１２にスクリーンパネル５を接着する他、合い釘、専用金具などを用いて固着される。
【００２３】
しかも前記の如く本形態では、基板３の上端部には略Ｖ字状の上溝８が形成されるとともに、下端部に楔状の下凸部１０が形成されることから、複数枚のスクリーンパネル５を上下に連続して固着する際、上溝８と下凸部１０とが嵌合して各々のスクリーンパネル５、５が固着される。従って、上、下に隣接するスクリーンパネル５の下の傾斜面７と、相方の上の傾斜面６とは、下の傾斜面７及び上の傾斜面６に各々のびるスクリーンシート４の縁部を挟着しつつ圧接される。
【００２４】
スクリーンパネル５の固着作業においては、最も下に配されるスクリーンパネル５を壁下地１２に固着し、これを基準として上側で隣接するスクリーンパネル５を、順次固着して施工される。スクリーンパネル５を下側から順に施工すると、下の傾斜面７と上の傾斜面６との間の圧力を均一に設定できるとともに、施工性を向上しうる点で好ましい。
【００２５】
なお本明細書においては、基板３の部位名である上の傾斜面６、下の傾斜面７、上の基準面９、下の基準面１１、上溝８、下凸部１０などは、その上にスクリーンシート４が貼着されたスクリーンパネル５においても、略そのままの形状として表われるため、スクリーンパネル５の部位名としてもそのまま共通の名称を使用している。
【００２６】
このように、図２、４（Ｂ）に示すように、スクリーンパネル５の下の傾斜面７の上に、下方のスクリーンパネル５の上の傾斜面６を重ねつつ接合すると、通常床面に座った低い姿勢から見上げて鑑賞する観者は、スクリーンを上向きの視線で眺めることから、上下の接続部の隙間、影などが殆ど識別することができないため、連続した綺麗な映写スクリーンが構成されて美しい映像を観ることができる。
【００２７】
しかも、スクリーンパネル５は上下に連続することから、映像の観者が左右方向の何れ側からスクリーンを見ても、スクリーンパネル間の継目は、視線に対して一定の角度をなして常に同じ状況で見えるため、見る方向によって見え方が替わるというような違和感を感じさせることがない。
【００２８】
またスクリーンシート４の上端部、下端部は、基板３の上の傾斜面６、下の傾斜面７にまでのびて被着されるとともに、上、下の傾斜面間６、７間で挟着されるため、上の傾斜面６、及び下の傾斜面７の前端縁で折れ曲がって前面へと連続するスクリーンシート４の折れ曲がり部分に、皺などの不規則な変形を生じることない。従って、スクリーンシート４は、整一に綺麗に連続することから映像光を受けても影を生じることがなく、上下に隣接するスクリーンパネル５、５の表面によって整一な連続面が形成されるため、綺麗な映像を鑑賞することができる。
【００２９】
更には本形態では、上の傾斜面６、及び下の傾斜面７と水平面との傾きαを３０〜６０度に形成していることから、基板３の表面から下の傾斜面７、及び上の傾斜面６へとのびるスクリーンシート４が滑らかに連続するため、亀裂を生じないことは勿論、折り曲げ線が見え難い。その結果、上下のスクリーンパネル５継目でも一体に連続したスクリーンが構成され、綺麗な映像が得られる。
【００３０】
本形態のスクリーンパネル５にあっては、上端、及び下端に形成された上溝８、及び下凸部１０が相互に嵌合して上下に連続するため、上の傾斜面６、及び下の傾斜面７が位置ずれすることなく、均一に圧接されることから、その間に介在するスクリーンシート４の端縁が圧接されて、継目を綺麗に納めることができる。しかも、前記の如く上、下の基準面９、１１が、基板３の表面から同寸法の奥行き位置に形成されるため、上下に接続されるスクリーンパネル５の表面が面一に位置決めされる。その結果段差なく連続した綺麗なスクリーン面が形成される。しかもその位置合わせの作業は、上下のスクリーンパネル５を適度に相互に押し付けることにより行なわれることから、施工性に優れ、しかも作業に熟練を要しない。
【００３１】
図５（Ａ）（Ｂ）は、スクリーンパネル５の上下端部を面一に接続するために形成される各種の矧ぎ手を例示している。以下異なる内容について説明し、それ以外は図中に表れた主要構成に同じ符号を付すだけとする。
【００３２】
図５（Ａ）では、基本的には実矧ぎの形態をなす。基板３の上端部の前側に後方を向いて傾く上の傾斜面６が形成されるとともに、その後ろ側に凸状の核２５が形成される。他方基板３の下端部の前側には、前方を向いて傾く下の傾斜面７が形成されるとともに、その後側に溝２６が形成される。しかして隣接する上下のスクリーンパネル５において、核２５と溝２６とを嵌合することにより、向き合う上の傾斜面６と下の傾斜面７とが、スクリーンシート４の縁部を挟着しつつ圧接される。核２５と溝２６との嵌合により、強固に接合されるともに、上下のスクリーンパネル５の厚さ方向の位置決めが確実となる点で好ましい。
【００３３】
図５（Ｂ）では、基板３の上端部の前側に上の傾斜面６が形成されるとともに、その後側に断面逆Ｖ字状の凸脈２７が形成される。他方基板３の下端部の前側には、下の傾斜面７が形成されるとともに、その後側に断面逆Ｖ字状のＶ溝２８が形成される。しかして隣接する上下のスクリーンパネル５において、凸脈２７とＶ溝２８とを嵌合することにより、向き合う上の傾斜面６と下の傾斜面７とが、スクリーンシート４の縁部を挟着しつつ圧接される。
【００３４】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３５】
【図１】本発明の一実施の形態を例示する斜視図である。
【図２】その要部拡大斜視図である。
【図３】スクリーンパネルの斜視図である。
【図４】（Ａ）は隣接するスクリーンパネルを上下に分割した状態を示す縦断面図であり、（Ｂ）は要部拡大縦断面図である。
【図５】（Ａ）（Ｂ）は各々異なる他の実施形態を例示する縦断面図である。
【図６】従来例の断面図である。
【符号の説明】
【００３６】
１      スクリーン壁
２      映写スクリーン
３      基板
４      スクリーンシート
５      スクリーンパネル
６      上の傾斜面
７      下の傾斜面
８      上溝
９      上の基準面
１０      下凸部
１１      下の基準面
１２      壁下地
【図１】
2007286179.tif 000003
【図２】
2007286179.tif 000004
【図３】
2007286179.tif 000005
【図４】
2007286179.tif 000006
【図５】
2007286179.tif 000007
【図６】
2007286179.tif 000008